(57)【要約】【課題】余剰の洗浄水を速やかに排水してメダルの過剰な濡れを低減する。【解決手段】下面にブラシ毛４ｂを植毛した上側ブラシ盤４と上面にブラシ毛５ａを植毛した下側ブラシ盤５を各ブラシ毛４ｂ，５ａが対向するように設け、同各ブラシ盤４，５間にメダルｍを投入するメダル投入口２を設け、各ブラシ盤４，５の外周及び下側ブラシ盤５の下方を囲む筒体６を設け、同筒体６に各ブラシ盤４，５間のメダルｍを排出するメダル排出口７を設け、下側ブラシ盤５を回転させるモータ１０を設け、各ブラシ毛４ｂ，５ａが対向する部分に洗浄水Ｗを給水する給水ポンプ１３を設けたメダル洗浄研磨装置において、前記下側ブラシ盤５の平坦部５ｂにメダルｍの厚さより低い高さの突条５ｃを４本放射状に立設し、隣接する各突条５ｃ間に小径の排水孔５ｄを回転方向と反対側の突条５ｃ寄りに開口した。【選択図】          図３
2005040240.tif 000002
【特許請求の範囲】
【請求項１】
下面にブラシ毛を植毛した上側ブラシ盤と上面にブラシ毛を植毛した下側ブラシ盤を各ブラシ毛が対向するように所定間隔おいて設け、同各ブラシ盤間にメダルを投入するメダル投入口を設け、各ブラシ盤の外周及び下側ブラシ盤の下方を囲む筒体を設け、同筒体に各ブラシ盤間のメダルを排出するメダル排出口を設け、各ブラシ盤の両方を相対的に又は下側ブラシ盤を回転させる回転駆動手段を設け、各ブラシ盤のブラシ毛が対向する部分に洗浄水を給水する給水手段を設け、メダルを濡らした状態で各ブラシ盤を相対的に回転させて洗浄研磨するようにしたメダル洗浄研磨装置において、前記下側ブラシ盤の上面の中心部に所定径の平坦部を設け、同平坦部に複数の排水孔を開口し、給水された余剰分の洗浄水を排水孔から排水させるようにしたことを特徴とするメダル洗浄研磨装置。
【請求項２】
平坦部の上面を突条で放射状に区画した請求項１記載のメダル洗浄研磨装置。
【請求項３】
排水孔が、隣接する各突条間で且つ下側ブラシ盤の回転方向と反対側の突条近傍に開口したものである請求項２記載のメダル洗浄研磨装置。
【請求項４】
突条の高さがメダルの厚さより低い高さである請求項２又は３記載のメダル洗浄研磨装置。
【請求項５】
下側ブラシ盤のブラシ毛を部分的に植毛し、他の部分にブラシ毛の高さより薄く且つ摩擦係数の大きい軟質シートを設け、同軟質シートの摩擦でメダルを排出口へ確実に移送できるようにした請求項１〜４いずれか記載のメダル洗浄研磨装置。
【発明の詳細な説明】
【０００１】
【発明の属する技術分野】
本発明は、遊技用メダル・硬貨（以下メダルと総称する）の表面を自動的に洗浄研磨して油・脂・ゴミ・汚れを除去するメダル洗浄研磨装置に関し、詳しくは余剰の洗浄水を速やかに排水させてメダルの過剰な濡れを低減できる技術に関する。
【０００２】
【従来の技術】
従来、メダル洗浄研磨装置としては、図１０に示すように下面にブラシ毛２４ａを植毛した固定の上側ブラシ盤２４と上面にブラシ毛２５ａを植毛した回転自在の下側ブラシ盤２５を各ブラシ毛２４ａ，２５ａが対向するように所定間隔おいて設け、同各ブラシ盤２４，２５間にメダルｍを投入するメダル投入口２２を設け、各ブラシ盤２４，２５の外周及び下側ブラシ盤２５の下方を囲む筒体２６を設け、同筒体２６に各ブラシ盤２４，２５間のメダルｍを排出するメダル排出口２７を設け、下側ブラシ盤２５を回転させるモータ３０を設け、各ブラシ毛２４ａ，２５ａの対向部分に洗浄水Ｗを給水する給水管３４を設け、メダルｍを濡らした状態で下側ブラシ盤２５を回転させて自動的に洗浄研磨するようにした構造のものが知られている（例えば特許文献１参照）。
【０００３】
ところで、前記構造のメダル洗浄研磨装置は、給水された洗浄水Ｗが多量の場合、余剰の洗浄水Ｗが筒体６の底部へ速やかに排水されずに下側ブラシ盤２５上で滞留してメダルｍを過剰に濡らした状態で排出し、その後の乾燥に時間を要してしまう問題があった。また、給水量を少量にすると、洗浄水Ｗがブラシ毛２４ａ，２５ａ全域に行き渡らずにメダルｍの洗浄が不十分となる問題もあった。
【０００４】
【特許文献１】
特開２００１−１１３０２５号公報
【０００５】
【発明が解決しようとする課題】
本発明が解決しようとする課題は、従来のこれらの問題点を解消し、充分な量の洗浄水を使用してメダルを確実に洗浄研磨し、しかも余剰の洗浄水を速やかに排水させてメダルの過剰な濡れを低減できるメダル洗浄研磨装置を提供することにある。
【０００６】
【課題を解決するための手段】
かかる課題を解決した本発明の構成は、
１）  下面にブラシ毛を植毛した上側ブラシ盤と上面にブラシ毛を植毛した下側ブラシ盤を各ブラシ毛が対向するように所定間隔おいて設け、同各ブラシ盤間にメダルを投入するメダル投入口を設け、各ブラシ盤の外周及び下側ブラシ盤の下方を囲む筒体を設け、同筒体に各ブラシ盤間のメダルを排出するメダル排出口を設け、各ブラシ盤の両方を相対的に又は下側ブラシ盤を回転させる回転駆動手段を設け、各ブラシ盤のブラシ毛が対向する部分に洗浄水を給水する給水手段を設け、メダルを濡らした状態で各ブラシ盤を相対的に回転させて洗浄研磨するようにしたメダル洗浄研磨装置において、前記下側ブラシ盤の上面の中心部に所定径の平坦部を設け、同平坦部に複数の排水孔を開口し、給水された余剰分の洗浄水を排水孔から排水させるようにしたことを特徴とするメダル洗浄研磨装置
２）  平坦部の上面を突条で放射状に区画した前記１）記載のメダル洗浄研磨装置
３）  排水孔が、隣接する各突条間で且つ下側ブラシ盤の回転方向と反対側の突条近傍に開口したものである前記２）記載のメダル洗浄研磨装置
４）  突条の高さがメダルの厚さより低い高さである前記２）又は３）記載のメダル洗浄研磨装置
５）  下側ブラシ盤のブラシ毛を部分的に植毛し、他の部分にブラシ毛の高さより薄く且つ摩擦係数の大きい軟質シートを設け、同軟質シートの摩擦でメダルを排出口へ確実に移送できるようにした前記１）〜４）いずれか記載のメダル洗浄研磨装置
にある。
【０００７】
【作用】
本発明では、給水手段で各ブラシ毛の対向部分に洗浄水を給水し、回転駆動手段で各ブラシ盤を相対的に又は下側ブラシ盤を回転させる。この状態でメダルをメダル投入口を通じて各ブラシ盤間に投入すると、メダルは洗浄水に濡れて各ブラシ毛で洗浄研磨される。メダルは遠心力を受けて洗浄研磨されながら筒体の内周に沿って移行し、メダル排出口から排出される。
【０００８】
洗浄水はメダル投入口を通じて下側ブラシ盤の上面に落水し、ブラシ毛の全域に行き渡る。余剰分の洗浄水は平坦部の排水孔を通じて下方の筒体へ速やかに排水され、メダルの水切りを良好にしてその後の乾燥を効率良く行えるようにする。
【０００９】
平坦部を複数の突条で区画したものは、平坦部で滞留しようとする余剰の洗浄水を突条で回転方向へ送ることで排水孔へ積極的に誘導する。特に、排水孔を下側ブラシ盤の回転方向と反対側の突条寄りに開口したものは、突条で回転方向へ送り出した後、直に排水孔へ誘導して迅速に排水される。また、突条の高さをメダルの厚さより低い高さとしたものは、投入されたメダルが引っ掛かり無くブラシ毛へ移行して安定的に洗浄研磨される。
【００１０】
【発明の実施の形態】
本発明の各ブラシ盤の回転としては、下側ブラシ盤のみを回転させる方法、上側ブラシ盤と下側ブラシ盤をそれぞれ異なる方向へ回転させる方法、上側ブラシ盤と下側ブラシ盤を異なる速度で同方向へ回転させる方法があり、少なくとも上下のブラシ毛で相対的な摩擦を生じさせる回転であればよい。
【００１１】
給水手段としては、メダル投入口からメダルの投入と同時に給水する構造が一般的であるが、各ブラシ盤のブラシ毛の植毛部分から吐水させる構造もあり、洗浄水をムラなく給水できて好ましい。洗浄水としては水又は水に洗浄用の薬剤を所要量混合させたものが一般的に用いられる。
【００１２】
各ブラシ盤のブラシ毛は、ブラシ盤に同長さのものを面状となるように植毛したものや異なる長さのものを用いて凹凸となるように植毛したものなど、ブラシ状となるものであれば形状，ブラシ毛の太さ，材質は問わないが、メダル両面の油・脂・ゴミ・汚れを確実に除去し、しかもメダルの表面を傷付けにくいものが望ましい。
【００１３】
本発明のメダル洗浄研磨装置は、単体で用いてもよいし、乾燥装置や他の装置と連結させて設備として用いてもよい。以下、本発明の実施例を図面に基づいて具体的に説明する。
【００１４】
【実施例】
図１は実施例のメダル洗浄研磨装置の縦断面図、図２は実施例のメダル洗浄研磨装置の分解斜視図、図３は実施例の下側ブラシ盤の平面図、図４，５は実施例のメダル洗浄研磨装置の使用状態を示す説明図、図６は実施例の洗浄水の排水を示す説明図である。
【００１５】
図中、１はカバー、２はメダル投入口、３は環状体、４は上側ブラシ盤、４ａはメダル取入口、４ｂはブラシ毛、５は下側ブラシ盤、５ａはブラシ毛、５ｂは平坦部、５ｃは突条、５ｄは排水孔、６は筒体、６ａは排水孔、７はメダル排出口、８は回転軸、８ａは従動ローラ、９はベアリング、１０はモータ、１０ａは駆動ローラ、１１は駆動ベルト、１２は貯水タンク、１３は給水ポンプ、１４は給水管、１４ａは吐水口、１５はキャビネット、ｍはメダル、Ｗは洗浄水である。
【００１６】
本実施例のメダル洗浄研磨装置は、図１〜３に示すように錐体状のメダル投入口２が形成されたカバー１に環状体３を介して下面にブラシ毛４ｂが植毛された上側ブラシ盤４をそのメダル取入口４ａとメダル投入口２とが連通するように取り付け、その下方同軸にブラシ毛５ａが上面に植毛された下側ブラシ盤５を回転自在に軸支している。
【００１７】
下側ブラシ盤５は、図３に示すように上面の中心部に上側ブラシ盤４のメダル取入口４ａと略同径の平坦部５ｂを有しており、同平坦部５ｂにメダルｍの厚さより低い高さ（約１ｍｍ）の突条５ｃを４本放射状に立設し、隣接する各突条５ｃ間に小径の排水孔５ｄを回転方向と反対側の突条５ｃ寄りに開口し、カバー１の下方には下面に排水孔６ａと側面にメダル排出口７を備えた筒体６を上側ブラシ盤４の外周面と下側ブラシ盤５の外周面及び下方を囲むように設けている。
【００１８】
下側ブラシ盤５の下面には従動ローラ８ａが軸着された回転軸８を垂設してベアリング９で軸支し、従動ローラ８ａと隣接したモータ１０の駆動ローラ１０ａとの間に駆動ベルト１１を掛架し、筒体６の排水孔６ａ下方に洗浄水Ｗを貯水する上方が開放された貯水タンク１２を設け、貯水タンク１２内の洗浄水Ｗを送り出す給水ポンプ１３を取り付け、給水ポンプ１３で送り出された洗浄水Ｗを上方へ送水する給水管１４を配管し、給水管１４の上端部を下方へ折曲して洗浄水Ｗをメダル投入口２へ吐水する吐水口１４ａを形成している。
【００１９】
本実施例では、図４に示すようにモータ１０を作動させると駆動ベルト１１で駆動力を回転軸８に伝達して下側ブラシ盤５を回転させる。貯水タンク１２には洗浄水Ｗを貯水しており、給水ポンプ１３を作動させると洗浄水Ｗは給水管１４を通じて吐水口１４ａよりメダル投入口２へ吐水されて上側ブラシ盤４のメダル取入口４ａから各ブラシ毛４ｂ，５ａ間に流入し、下側ブラシ盤５と筒体６との間の隙間から筒体６の底部に流れ落ちて排水孔６ａを通じて貯水タンク１２に回収され、再び給水して循環する。
【００２０】
この状態でメダルｍをメダル投入口２に投入すると、メダルｍはメダル取入口４ａを通じて下側ブラシ盤５上に落下し、各ブラシ毛４ｂ，５ａと洗浄水Ｗとで両面が洗浄研磨されながら図５に示すように下側ブラシ盤５の回転とその遠心力で外周方向へ移行する。
【００２１】
その後、メダルｍは洗浄研磨されながら遠心力で筒体６の内周に沿って移行し、油・脂・ゴミ・汚れが除去されたメダルｍがメダル排出口７から排出され、除去した油・脂・ゴミ・汚れは洗浄水Ｗとともに排水孔６ａから貯水タンク１２へ排水される。
【００２２】
ここで、洗浄水Ｗはメダル投入口２を通じて下側ブラシ盤５の平坦部５ｂに落水し、周囲のブラシ毛５ａの全域に行き渡る。余剰分の洗浄水Ｗは下側ブラシ盤５の回転による遠心力及び突条５ｃによる回転方向への送りで排水孔５ｄを通じて下方の筒体６へ排水され、メダルｍは充分に水切りされた状態で排出される。
【００２３】
また、突条５ｃの高さをメダルｍの厚さより低い高さとしたから、投入されたメダルｍが引っ掛かり無くブラシ毛５ａへ移行して安定的に洗浄研磨される。さらに、排水孔５ｄを下側ブラシ盤５の回転方向と反対側の突条５ｃ寄りに開口したから、滞留しようとする洗浄水Ｗを突条５ｃで直に排水孔５ｄへ誘導して迅速に排水される。
【００２４】
図７に示すのは実施例の下側ブラシ盤の他の例である。図７は実施例の他の例の下側ブラシ盤の平面図である。図７に示す下側ブラシ盤５は、突条５ｃを省略して排水孔５ｄを多数開口することで実施例と同等の排水性を付与したものである。その他、符号、構成は実施例と同じである。
【００２５】
図８，９に示すのは実施例の下側ブラシ盤の他の例である。図８は実施例の他の例の下側ブラシ盤の平面図、図９は図８のＡ−Ａ断面図である。図中、５ｅは軟質シートである。図８，９に示す下側ブラシ盤５は、ブラシ毛５ａを小面積の円状に部分的に植毛し、その他の部分にブラシ毛５ａの高さより０．５ｍｍ薄いウレタン樹脂からなる軟質シート５ｅを設けてブラシ毛５ａを突出させている。
【００２６】
従って、ブラシ毛５ａの剛性やメダルｍの重量によってはメダル排出口７への送り力不足でメダルｍが不必要に滞留することがあるが、本実施例によれば軟質シート５ｅの摩擦でメダルｍをメダル排出口７へ確実に移送し、メダルｍの無駄な滞留時間を低減して洗浄研磨処理能力を向上できる。その他、符号、構成は実施例と同じである。
【００２７】
【発明の効果】
以上説明したように、本発明によれば充分な量の洗浄水を使用してメダルを確実に洗浄研磨し、しかも余剰の洗浄水を速やかに排水させてメダルの過剰な濡れを低減し得るメダル洗浄研磨装置を提供できる。
【図面の簡単な説明】
【図１】実施例のメダル洗浄研磨装置の縦断面図である。
【図２】実施例のメダル洗浄研磨装置の分解斜視図である。
【図３】実施例の下側ブラシ盤の平面図である。
【図４】実施例のメダル洗浄研磨装置の使用状態を示す説明図である。
【図５】実施例のメダル洗浄研磨装置の使用状態を示す説明図である。
【図６】実施例の洗浄水の排水を示す説明図である。
【図７】実施例の他の例の下側ブラシ盤の平面図である。
【図８】実施例の他の例の下側ブラシ盤の平面図である。
【図９】図８のＡ−Ａ断面図である。
【図１０】従来のメダル洗浄研磨装置の縦断面図である。
【符号の説明】
１  カバー
２  メダル投入口
３  環状体
４  上側ブラシ盤
４ａ  メダル取入口
４ｂ  ブラシ毛
５  下側ブラシ盤
５ａ  ブラシ毛
５ｂ  平坦部
５ｃ  突条
５ｄ  排水孔
５ｅ  軟質シート
６  筒体
６ａ  排水孔
７  メダル排出口
８  回転軸
８ａ  従動ローラ
９  ベアリング
１０  モータ
１０ａ  駆動モータ
１１  駆動ベルト
１２  貯水タンク
１３  給水ポンプ
１４  給水管
１４ａ  吐水口
１５  キャビネット
２２  メダル投入口
２４  上側ブラシ盤
２４ａ  ブラシ毛
２５  下側ブラシ盤
２５ａ  ブラシ毛
２６  筒体
２７  メダル排出口
３０  モータ
３４  給水管
ｍ  メダル
Ｗ  洗浄水
【図１】
2005040240.tif 000003
【図２】
2005040240.tif 000004
【図３】
2005040240.tif 000005
【図４】
2005040240.tif 000006
【図５】
2005040240.tif 000007
【図６】
2005040240.tif 000008
【図７】
2005040240.tif 000009
【図８】
2005040240.tif 000010
【図９】
2005040240.tif 000011
【図１０】
2005040240.tif 000012